(57)【要約】【課題】コネクタを大型化することなく、ロックの信頼性を高めることのできるコネクタを提供すること。【解決手段】コネクタは、カード９００をホールドした状態においてカード９００の切欠き部９１０内にロック部６３０を位置させることにより、カード９００をホールド状態にロックする。コネクタには、受止部８００が更に設けられている。この受止部８００は、ホールド状態にあるカード９００を無理に引き抜こうとしたときに、ロック部６３０と共に変位する当接部６４０を受け止める。詳しくは、受止部８００は、当接部６４０をＹ方向において受けることにより当接部６４０のＹ方向における移動を規制するＹ方向移動規制部８１０を有している。このＹ方向移動規制部８１０の規制により、ロック部６３０のＹ方向への移動も制限されることから、ロックの信頼性を高めることができる。【選択図】図１４
2010129307.tif 000002
【特許請求の範囲】
【請求項１】
切欠き部の設けられたカードを第１方向に沿ってイジェクトすることのできるイジェクト機構と、コンタクトと、該コンタクトを保持するハウジングと、該ハウジングを覆うカバーとを備えるコネクタであって、
前記カバーと前記ハウジングとは、前記カードを少なくとも部分的に収容可能なキャビティと、前記カードを前記キャビティ内に挿入可能とするための開口部とを規定しており、
前記イジェクト機構には、前記カードの挿入排出動作に伴ってホールド位置とイジェクト位置との間で前記第１方向に沿って移動する移動部が設けられており、
前記移動部は、前記カードが前記コネクタに挿入保持されている際に前記ホールド位置に位置する一方、前記カードが前記コネクタからイジェクトされた際に前記イジェクト位置に位置しているものであり、
該移動部には、当該移動部の前記第１方向における移動に伴って前記第１方向に移動する一方で前記第１方向に直交する第２方向にも移動可能なロック部であって、該移動部が前記ホールド位置にあるときに前記カードの前記切欠き部内に位置することにより前記カードのイジェクトをロックするロック部が設けられており、
前記コネクタは、前記移動部が前記ホールド位置にある状態であるホールド状態における前記ロック部の前記第２方向の移動を規制する第２方向移動規制部を更に備えている
コネクタ。
【請求項２】
請求項１記載のコネクタにおいて、前記ホールド状態における前記移動部の前記第１方向の移動を規制する第１方向移動規制部を更に備えている、コネクタ。
【請求項３】
請求項２記載のコネクタにおいて、
前記第１方向移動規制部と前記第２方向移動規制部とは、前記第１方向及び前記第２方向にて規定される面内において前記ハウジング及び前記カバーに対して固定されている、コネクタ。
【請求項４】
請求項２又は請求項３記載のコネクタにおいて、前記第１方向移動規制部と前記第２方向移動規制部とは一体に形成されている、コネクタ。
【請求項５】
請求項４記載のコネクタにおいて、前記第１方向移動規制部は、前記ロック部の第１方向の移動を規制することにより前記移動部の前記第１方向の移動を規制するように構成・配置されている、コネクタ。
【請求項６】
請求項５記載のコネクタにおいて、
前記移動部は、ロック部材と、該ロック部材を保持する保持部を有するイジェクトバーとを備えており、
前記イジェクトバーは、前記第１方向に沿って移動可能なものであり、
前記ロック部は、前記ロック部材の一部として構成されており、
前記ロック部材には、前記ロック部と共に移動する当接部が更に設けられており、
前記第２方向規制部は、前記ホールド状態において前記当接部が前記第２方向に移動した場合に該移動した前記当接部を前記第２方向において受け、それによって、前記ロック部の前記第２方向の移動を規制するように構成・配置されており、
前記第１方向規制部は、前記ホールド状態において前記当接部が前記第１方向に移動した場合に該移動した前記当接部を前記第１方向において受け、それによって、前記ロック部材の前記第１方向の移動を規制するように構成・配置されている
コネクタ。
【請求項７】
請求項６記載のコネクタにおいて、前記ホールド状態にある前記第１方向移動規制部と前記当接部との間に少なくとも前記第２方向においてクリアランスを有するように、前記第１方向規制部と前記当接部とが配置されている、コネクタ。
【請求項８】
請求項６又は請求項７記載のコネクタにおいて、前記ロック部材は、前記保持部に保持される被保持部と、該被保持部から前記ロック部まで延びるばね部とを備えている、コネクタ。
【請求項９】
請求項８記載のコネクタにおいて、前記当接部は、前記ばね部の先端又は前記ロック部の先端から前記第１方向に延びるようにして、設けられている、コネクタ。
【請求項１０】
請求項８又は請求項９記載のコネクタにおいて、
前記保持部は、遊びをもった状態で前記被保持部を保持しており、
前記ロック部材は、前記被保持部及び前記ばね部と共に略Ｕ字形状を構成するように前記被保持部から延びる補助ばね部を更に備えており、
前記補助ばね部は、当該コネクタ内部の所定部位に当接することにより該所定部位から反力を得、その反力をもって前記ロック部を前記カードの前記切欠き部内に向けて付勢するように、構成・配置されている、
コネクタ。
【発明の詳細な説明】
【技術分野】
【０００１】
本発明は、カードに接続されるコネクタに関する。本発明は、特に、携帯電話機等のメモリーカード用のコネクタに関する。
【背景技術】
【０００２】
この種のコネクタとしては、例えば、特許文献１に開示されたものがある。特許文献１に開示されたコネクタには、カードがコネクタに接続された状態においてカードの不適切なイジェクトを防止するためのロック部材が設けられている。詳しくは、カードには切欠き部が設けられており、カードがコネクタ内に部分的に収容された状態においてロック部材のロック部がカードの切欠き部内に位置していることにより、カードの不適切なイジェクトが防止されている。
【０００３】
【特許文献１】特開２００７−２００８１５号公報
【発明の開示】
【発明が解決しようとする課題】
【０００４】
特許文献１のコネクタにおいて、ロックの信頼性を高めるためには、ロック部材の板厚を厚くして強度を上げる必要があり、その際にはバネ性等の問題からロック部材自体の長さを長くする等大型化しなければならないが、その場合、コネクタも大型化してしまうといった問題がある。
【０００５】
そこで、本発明は、コネクタを大型化することなく、ロックの信頼性を高めることのできるコネクタを提供することを目的とする。
【課題を解決するための手段】
【０００６】
本発明によれば、第１のコネクタとして、
切欠き部の設けられたカードを第１方向に沿ってイジェクトすることのできるイジェクト機構と、コンタクトと、該コンタクトを保持するハウジングと、該ハウジングを覆うカバーとを備えるコネクタであって、
前記カバーと前記ハウジングとは、前記カードを少なくとも部分的に収容可能なキャビティと、前記カードを前記キャビティ内に挿入可能とするための開口部とを規定しており、
前記イジェクト機構には、前記カードの挿入排出動作に伴ってホールド位置とイジェクト位置との間で前記第１方向に沿って移動する移動部が設けられており、
前記移動部は、前記カードが前記コネクタに挿入保持されている際に前記ホールド位置に位置する一方、前記カードが前記コネクタからイジェクトされた際に前記イジェクト位置に位置しているものであり、
該移動部には、当該移動部の前記第１方向における移動に伴って前記第１方向に移動する一方で前記第１方向に直交する第２方向にも移動可能なロック部であって、該移動部が前記ホールド位置にあるときに前記カードの前記切欠き部内に位置することにより前記カードのイジェクトをロックするロック部が設けられており、
前記コネクタは、前記移動部が前記ホールド位置にある状態であるホールド状態における前記ロック部の前記第２方向の移動を規制する第２方向移動規制部を更に備えている
コネクタが得られる。
【０００７】
また、本発明によれば、第２のコネクタとして、第１のコネクタにおいて、
前記ホールド状態における前記移動部の前記第１方向の移動を規制する第１方向移動規制部を更に備えている、コネクタが得られる。
【０００８】
また、本発明によれば、第３のコネクタとして、第２のコネクタにおいて、
前記第１方向移動規制部と前記第２方向移動規制部とは、前記第１方向及び前記第２方向にて規定される面内において前記ハウジング及び前記カバーに対して固定されている、コネクタが得られる。
【０００９】
また、本発明によれば、第４のコネクタとして、第２又は第３のコネクタにおいて、
前記第１方向移動規制部と前記第２方向移動規制部とは一体に形成されている、コネクタが得られる。
【００１０】
また、本発明によれば、第５のコネクタとして、第４のコネクタにおいて、
前記第１方向移動規制部は、前記ロック部の第１方向の移動を規制することにより前記移動部の前記第１方向の移動を規制するように構成・配置されている、コネクタが得られる。
【００１１】
また、本発明によれば、第６のコネクタとして、第５のコネクタにおいて、
前記移動部は、ロック部材と、該ロック部材を保持する保持部を有するイジェクトバーとを備えており、
前記イジェクトバーは、前記第１方向に沿って移動可能なものであり、
前記ロック部は、前記ロック部材の一部として構成されており、
前記ロック部材には、前記ロック部と共に移動する当接部が更に設けられており、
前記第２方向規制部は、前記ホールド状態において前記当接部が前記第２方向に移動した場合に該移動した前記当接部を前記第２方向において受け、それによって、前記ロック部の前記第２方向の移動を規制するように構成・配置されており、
前記第１方向規制部は、前記ホールド状態において前記当接部が前記第１方向に移動した場合に該移動した前記当接部を前記第１方向において受け、それによって、前記ロック部材の前記第１方向の移動を規制するように構成・配置されている
コネクタが得られる。
【００１２】
また、本発明によれば、第７のコネクタとして、第６のコネクタにおいて、
前記ホールド状態にある前記第１方向移動規制部と前記当接部との間に少なくとも前記第２方向においてクリアランスを有するように、前記第１方向規制部と前記当接部とが配置されている、コネクタが得られる。
【００１３】
また、本発明によれば、第８のコネクタとして、第６又は第７のコネクタにおいて、
前記ロック部材は、前記保持部に保持される被保持部と、該被保持部から前記ロック部まで延びるばね部とを備えている、コネクタが得られる。
【００１４】
また、本発明によれば、第９のコネクタとして、第８のコネクタにおいて、
前記当接部は、前記ばね部の先端又は前記ロック部の先端から前記第１方向に延びるようにして、設けられている、コネクタが得られる。
【００１５】
また、本発明によれば、第１０のコネクタとして、第８又は第９のコネクタにおいて、
前記保持部は、遊びをもった状態で前記被保持部を保持しており、
前記ロック部材は、前記被保持部及び前記ばね部と共に略Ｕ字形状を構成するように前記被保持部から延びる補助ばね部を更に備えており、
前記補助ばね部は、当該コネクタ内部の所定部位に当接することにより該所定部位から反力を得、その反力をもって前記ロック部を前記カードの前記切欠き部内に向けて付勢するように、構成・配置されている、
コネクタが得られる。
【００１６】
また、本発明によれば、第１１のコネクタとして、第１０のコネクタにおいて、
前記カバー又は前記ハウジングは、前記補助ばね部に加わる反力を増幅するための反力増幅部を備えており、
前記反力増幅部は、前記ホールド状態にあるときに、前記補助ばね部が前記第２方向において前記ロック部と当該反力増幅部との間に位置するようにして且つ前記第２方向において当該反力増幅部に当接するように、構成・配置されている、
コネクタが得られる。
【００１７】
また、本発明によれば、第１２のコネクタとして、第１１のコネクタにおいて、
前記反力増幅部は、前記カバーの一部として、且つ、前記ハウジングに向けて延びるようにして、形成されている
コネクタが得られる。
【００１８】
また、本発明によれば、第１３のコネクタとして、第１０乃至第１２のコネクタのいずれかにおいて、
前記ロック部材には、第２方向当接部が設けられており、
当該コネクタは、前記ホールド状態において前記第２方向当接部よりも前記キャビティ側に位置することにより前記付勢された前記ロック部の前記第２方向における位置決めを行うロック部位置決め部を更に備えている
コネクタが得られる。
【００１９】
また、本発明によれば、第１４のコネクタとして、第１３のコネクタにおいて、
前記ロック部移動規制部は、前記カバーの一部として、且つ、前記ハウジングに向けて延びるようにして、形成されている
コネクタが得られる。
【００２０】
また、本発明によれば、第１５のコネクタとして、第１４のコネクタにおいて、
前記第２方向当接部は、前記第１方向及び前記第２方向の双方と直交する第３方向において、前記ロック部とは異なる位置に設けられている
コネクタが得られる。
【００２１】
また、本発明によれば、第１６のコネクタとして、第６乃至第１５のコネクタのいずれかにおいて、
前記第１方向移動規制部と前記第２方向移動規制部は、前記カバー又は前記ハウジングの一部として構成されている
コネクタが得られる。
【００２２】
また、本発明によれば、第１７のコネクタとして、第６乃至第１６のコネクタのいずれかにおいて、
前記保持部は、前記開口部から離れるに従って大きくなるように構成されており、それによって、前記移動部が前記イジェクト位置にある状態において、前記第１方向及び前記第２方向の双方に直交する第３方向に沿って見た場合に前記第１方向移動規制部及び前記第２方向移動規制部と前記保持部とは少なくとも一部において重なっている、
コネクタが得られる。
【００２３】
また、本発明によれば、第１８のコネクタとして、第６乃至第１７のコネクタのいずれかにおいて、
前記ホールド状態において、第２方向移動規制部は、前記第２方向において前記当接部よりも前記キャビティから離れた位置にあり、
前記ホールド状態において、第１方向移動規制部は、前記第１方向において前記当接部よりも前記開口部に近い位置にある、
コネクタが得られる。
【００２４】
また、本発明によれば、第１９のコネクタとして、第６乃至第１８のコネクタのいずれかにおいて、
前記第１方向及び前記第２方向の双方に直交する第３方向に沿って見た場合に、前記第１方向移動規制部と前記第２方向移動規制部とは、略Ｌ字形状を構成している、
コネクタが得られる。
【発明の効果】
【００２５】
本発明によれば、ホールド状態におけるロック部の第２方向（カード挿入抜去方向と直交する方向）への移動を規制する第２方向移動規制部を設けたことから、ロック部によるロックの信頼性を高めることができる。
【００２６】
また、ホールド状態におけるロック部の第１方向（カード挿入抜去方向）への移動を規制する第１方向移動規制部を更に設けることとすると、イジェクト機構に含まれるカムフォロワに過度な負荷がかかることを防止することができる。
【発明を実施するための最良の形態】
【００２７】
図１乃至図４を参照すると、本発明の実施の形態によるコネクタ１００は、複数のコンタクト１１０と、コンタクト１１０を保持する絶縁体からなるハウジング１２０と、ハウジング１２０を覆う金属製のカバー１３０と、カード９００をＸ方向（第１方向）に沿ってイジェクトすることのできるイジェクト機構１４０とを備えている。なお、カード９００には切欠き部９１０が設けられている（図９参照）。
【００２８】
ハウジング１２０とカバー１３０とは、カード９００を部分的に収容可能なキャビティ２００と、カード９００をキャビティ２００内に挿入可能とするための開口部２５０とを規定している。なお、本実施の形態によるカバー１３０には、フォロワ付勢部１３２、受止部８００、反力増幅部８５０及びロック部位置決め部８７０が形成されている。これらについては、それぞれ、後述する。
【００２９】
図３及び図４に示されるように、本実施の形態におけるイジェクト機構１４０は、絶縁体からなるイジェクトバー３００と、コイルばね４００と、カムフォロワ５００と、ロック部材６００とを備えている。
【００３０】
イジェクトバー３００には、ハートカム３２０と、ロック部材６００を保持する保持部３４０とが形成されている。イジェクトバー３００は、カード９００のＸ方向における移動に応じて、ホールド位置とイジェクト位置との間で摺動可能となるように、ハウジング１２０内に組み込まれている。ここで、ホールド位置とは、カード９００がコネクタ１００に接続された状態におけるイジェクトバー３００（移動部７００）の位置であり、イジェクト位置とは、カード９００がコネクタ１００からイジェクトされた際におけるイジェクトバー３００（移動部７００）の位置である。即ち、ホールド位置は、イジェクト位置よりも開口部２５０から遠い位置にある。このイジェクトバー３００は、コイルばね４００によってイジェクト位置側に常時付勢されている。
【００３１】
ハートカム３２０には、カムフォロワ５００の一端が挿入されている。詳しくは、本実施の形態におけるカムフォロワ５００は、略コの字形状を有する金属の棒であり、他端はハウジング１２０に軸支されている。ここで、イジェクトバー３００は、カード９００の挿入時においてはカード９００により挿入方向への力を受け、カード９００のイジェクト時においてはコイルばね４００によりイジェクト方向への力を受ける。そのため、カムフォロワ５００の一端は、基本的には、ハートカム３２０のカム面に常時押し付けられることとなり、イジェクトバー３００の移動に応じてハートカム３２０のカム面に追従することとなっている。なお、カバー１３０に形成されたフォロワ付勢部１３２は、カムフォロワ５００がハートカム３２０に確実に追従するように、カムフォロワ５００をハートカム３２０に向けて常時付勢するためのものである（図１及び図２参照）。
【００３２】
図３に示されるように、本実施の形態における保持部３４０は、遊びをもった状態でロック部材６００を保持している。従って、ロック部材６００は、保持部３４０に保持された状態で多少動くことができる。なお、本実施の形態における保持部３４０は、開口部２５０に近い端部として、Ｘ方向とＺ方向（第３方向）とに斜交する面を有している。詳しくは、保持部３４０の開口部２５０に近い端部は、開口部２５０側から見た場合に、奥に向かうに従って高くなるように構成されている。
【００３３】
上述したように、イジェクトバー３００及びそれに保持されるロック部材６００は、Ｘ方向に移動するが、コイルばね４００やカムフォロワ５００は伸縮したり回動したりするもののＸ方向へ移動するわけではない。即ち、本実施の形態においては、イジェクトバー３００とロック部材６００のみがＸ方向へ移動する移動部７００を構成している（図４参照）。
【００３４】
図３及び図６に示されるように、ロック部材６００は、被保持部６１０と、被保持部から延びるばね部６２０と、ばね部６２０の先端からＹ方向（第２方向）においてキャビティ２００内に突出するように設けられたロック部６３０と、ばね部６２０の先端からＸ方向に延びるように設けられた当接部６４０と、被保持部６１０及びばね部６２０と共に略Ｕ字形状を構成するように被保持部６１０から延びる補助ばね部６５０とを備えている。被保持部６１０は、イジェクトバー３００の保持部３４０に保持されている。ばね部６２０は、ロック部６３０がＹ方向にも移動可能となるようにロック部６３０を弾性支持している。ロック部６３０は、イジェクトバー３００がホールド位置にあるときにカード９００の切欠き部９１０内に位置することにより、カード９００のイジェクトをロックするための部位である（図７参照）。本実施の形態における当接部６４０は、ロック部６３０近傍に設けられている。本実施の形態における当接部６４０は、Ｚ方向に沿って見た場合に、ロック部６３０と二股を構成している。また、本実施の形態における当接部６４０は、Ｚ方向においてロック部６３０とは異なる位置に位置している。このように構成することとすると、ロック部材６００のＸ方向におけるサイズを小さくすることができる。ここで、当接部６４０のキャビティ２００側の面は、後述するように、Ｙ方向当接部（第２方向当接部）６４５として機能する。補助ばね部６５０は、コネクタ１００の内部の所定部位に当接することにより所定部位から反力を得て、その反力をもってロック部６３０をキャビティ２００の内側に向けて付勢するものである。この補助ばね部６５０によるロック部６３０の付勢の効果を得るため、本実施の形態における保持部３４０は、上述したように、遊びをもった状態で被保持部６１０を保持している。
【００３５】
本実施の形態におけるカバー１３０には、上述したように、反力増幅部８５０とロック部位置決め部８７０とが形成されている。
【００３６】
図１、図２、図４及び図５に示されるように、本実施の形態における反力増幅部８５０は、カバー１３０の一部にコの字状の切り込みを入れ、その後、ハウジング１２０側に向けて折り込むようにして構成された小片である。この反力増幅部８５０は、イジェクトバー３００がホールド位置にあるときに補助ばね部６５０にＹ方向において当接する一方でイジェクトバー３００がイジェクト位置にあるときには補助ばね部６５０には当接しないように、設けられている。なお、イジェクトバー３００がイジェクト位置にあるとき、補助ばね部６５０は、ハウジング１２０の側壁部１２２に当接している。即ち、本実施の形態における補助ばね部６５０は、常時はハウジング１２０の側壁部１２２に当接しているがイジェクトバー３００がホールド位置に位置したときのみ反力増幅部８５０に当接することとなり、より大きな反力を受けることとなっている。但し、本発明はこれに限られない。例えば、反力増幅部８５０をＸ方向に長く構成し、イジェクトバー３００がイジェクト位置にあるときにも補助ばね部６５０と当接するようにしてもよいが、その場合、コネクタが大型化してしまうことから、上述したように必要最低限の部位に反力増幅部８５０を設けることが好ましい。
【００３７】
詳しくは、反力増幅部８５０は、イジェクトバー３００がホールド位置にあるときに、補助ばね部６５０がＹ方向においてロック部６３０と反力増幅部８５０との間に位置するようにして且つＹ方向において反力増幅部８５０に当接するように、設けられている。これにより、イジェクトバー３００がホールド位置にあるとき、補助ばね部６５０は、反力増幅部８５０がない場合と比較して、大きな反力を受けることとなる。この大きな反力により、本実施の形態におけるロック部６３０は、キャビティ２００内部に向けて確実に付勢される。
【００３８】
但し、カード９００がコネクタ１００に接続された状態においては、カード９００に対してロック部６３０が強い力で当接させられるのは好ましくない。従って、補助ばね部６５０によって付勢されたロック部６３０がカード９００の切欠き部９１０内に確実に位置する一方で、ロック部材６００（ロック部６３０）のカード９００に対する強い接触を避けることのできるような位置にロック部６３０を位置させるように、ロック部６３０の位置決めを行うことが好ましい。本実施の形態においては、このロック部６３０の位置決めを、ロック部位置決め部８７０に対してＹ方向当接部６４５を当接させることにより行っている。本実施の形態におけるロック部位置決め部８７０は、反力増幅部８５０と同様に、カバー１３０の一部にコの字状の切り込みを入れ、その後ハウジング１２０側に向けて折り込むようにして構成された小片である。上述したロック部６３０の位置決めを行うためには、このロック部位置決め部８７０は、少なくともイジェクトバー３００がホールド位置にある場合には、図１１及び図１２に示されるように、Ｙ方向当接部６４５よりもキャビティ２００側に位置していなければならない。本実施の形態におけるロック部位置決め部８７０は、イジェクトバーがイジェクト位置にある場合にも、図９及び図１０に示されるように、Ｙ方向当接部６４５よりもキャビティ２００側にあるように構成されている。
【００３９】
なお、反力増幅部８５０及び／又はロック部位置決め部８７０は、カバー１３０ではなくハウジング１２０に設けられていてもよいし、カバー１３０やハウジングとは別個の部材であってカバー１３０やハウジング１２０に取り付けられた部材に設けられていてもよい。
【００４０】
本実施の形態におけるカバー１３０には、上述したように、受止部８００も形成されている。この受止部８００は、図５、図７及び図８に示されるように、カバー１３０の主面よりも一段下がった状態で（ハウジング１２０側に近づいた状態で）挿入方向に向かって延びている。受止部８００の先端のキャビティ２００に近い箇所には、Ｚ方向に沿って見た場合に、略Ｌ字状をなす部位が形成されている。この略Ｌ字状をなす部位のうちＸ方向に延びるエッジは、イジェクトバー３００がホールド位置にある状態において当接部６４０がＹ方向の反対方向に移動してきた場合に当接部６４０をＹ方向において受けることにより、ロック部６３０のＹ方向の反対方向への所定量以上の移動を規制するＹ方向移動規制部（第２方向移動規制部）８１０を構成している。一方、略Ｌ字状をなす部位のうちＹ方向と若干ずれるようにして延びるエッジは、イジェクトバー３００がホールド位置にある状態においてＹ方向の反対方向に移動した当接部６４０が更にＸ方向に移動してきた場合に当該当接部６４０をＸ方向において受けることにより、ロック部６３０のＸ方向への所定量以上の移動を規制するＸ方向移動規制部（第１方向移動規制部）８２０を構成している。本実施の形態において、Ｘ方向移動規制部８２０として機能するエッジとＹ方向移動規制部８１０として機能するエッジとは、９０度より若干小さい角をなしている。これにより、Ｘ方向において当接部６４０を確実に受けることができる。
【００４１】
上述したように、Ｙ方向移動規制部８１０とＸ方向移動規制部８２０とは、カバー１３０の一部である受止部８００として構成されていることから、イジェクトバー３００やロック部材６００とは異なり、ＸＹ平面内においてハウジング１２０及びカバー１３０に対して実質的に固定されている。
【００４２】
詳しくは、図７、図１１及び図１２に示されるように、Ｙ方向移動規制部８１０は、イジェクトバー３００がホールド位置にある場合にＹ方向において当接部６４０よりもカード９００（即ち、キャビティ２００）から離れた位置にあり、Ｘ方向移動規制部８２０は、イジェクトバー３００がホールド位置にある場合にＸ方向において当接部６４０よりも開口部２５０に近い位置にある。ホールド状態にあるカード９００を無理に引き抜こうとすると、ロック部６３０がカード９００の切欠き部９１０の外部に押し出されそうになるが、その際に、図１３及び図１４に示されるように、当接部６４０がＹ方向移動規制部８１０に当接してＹ方向への移動を規制されることからロック部６３０が切欠き部９１０の外部に出てしまうといったことが避けられる。即ち、本実施の形態によれば、ロック部材６００のばね力のみに頼った場合と比較して、カード９００のホールド状態のロックの信頼性が高められている。加えて、Ｙ方向移動規制部８１０に当接部６４０が当接した状態において更にカード９００を無理に抜き去ろうとすると、仮にＸ方向移動規制部８２０が設けられていなかった場合には、カード９００の無理な抜去による力がカムフォロワ５００のみに加わってしまうことになりカムフォロワ５００が伸びてしまう（壊れてしまう）恐れもあるが、本実施の形態においては、図１３及び図１４に示されるように、当接部６４０がＸ方向移動規制部８２０に当接することによりカード９００の無理な抜去を防ぐこととしていることから、カムフォロワ５００が壊れてしまうといった問題が生じない。
【００４３】
更に、本実施の形態における受止部８００は、イジェクトバー３００がホールド位置からイジェクト位置に移動する際にイジェクトバー３００と共に移動するロック部材６００と干渉してはならない。従って、本実施の形態においては、図７に示されるように、イジェクトバー３００がイジェクト位置にある状態において受止部８００と当接部６４０との間にクリアランスＣがあるように、受止部８００を設けてある。なお、コネクタ１００のＹ方向におけるサイズを考慮するとクリアランスＣを大きくすることは困難であるが、本実施の形態においては、上述したように、補助ばね部６５０によってロック部６３０をキャビティ２００内に向けるように常時付勢していることから、クリアランスＣが小さかったとしても、イジェクトバー３００がホールド位置からイジェクト位置に移動する際におけるロック部材６００と受止部８００との干渉を確実に防止することができる。
【００４４】
加えて、本実施の形態においては、上述したように、保持部３４０の開口部２５０に近い端部は、開口部２５０側から見た場合に、奥に向かうに従って高くなるように構成されていることから、イジェクトバー３００がホールド位置からイジェクト位置に移動する際に、保持部３４０が受止部８００の下方にガイドされることとなり、その結果、イジェクトバー３００がイジェクト位置にあるときにはＺ方向に沿って見ると受止部８００と保持部３４０とは一部において重なって見えることとなる（図９参照）。
【００４５】
上述したように、本実施の形態におけるＹ方向移動規制部８１０及びＸ方向移動規制部８２０は、受止部８００の一部である。即ち、本実施の形態におけるＹ方向移動規制部８１０及びＸ方向移動規制部８２０は、互いに一体に形成されている。また、本実施の形態においては、イジェクトバー３００がホールド位置にある場合におけるロック部６３０のＸ方向への移動を規制することにより、イジェクトバー３００のＸ方向への移動を間接的に規制することとしている。しかしながら、本発明はこれに制限されるものではない。例えば、Ｙ方向移動規制部８１０とＸ方向移動規制部８２０とを分けて構成することとしてもよいし、また、イジェクトバー３００のＸ方向への移動を直接的に規制するものとしてＸ方向移動規制部を構成してもよい。更には、本実施の形態における受止部８００は、カバー１３０の一部として構成したが、ハウジング１２０の一部として構成することとしてもよいし、カバー１３０やハウジング１２０とは別体の部品にて構成することとしてもよい。なお、カバー１３０やハウジング１２０とは別体の部品にて受止部８００を構成する場合、この部品はカバー１３０又はハウジング１２０に固定されるのが好ましい。
【００４６】
なお、ロック部材６００は、本実施の形態の形状には限られない。例えば、ロック部材６００は、補助ばね部６５０を有しないものであっても良い。その場合、イジェクトバー３００の保持部３４０は、しっかりと（即ち、遊びを持たせることなく）被保持部６１０を保持することが好ましい。更に、上述した実施の形態において、当接部６４０は、ばね部６２０の先端からＸ方向に延びるように構成されていたが、例えば、図１５に示されるように、当接部６５０ａはロック部６３０の先端からＸ方向に延びるように、設けられていてもよい。
【００４７】
また、上述した本実施の形態において、受止部８００は略Ｌ字状の形状を有していたが、例えば、略Ｊ字状又は略Ｕ字状の形状を有することとしてもよい。但し、その場合、受止部８００のＹ方向におけるサイズが若干大きくなる。
【００４８】
更に、上述した実施の形態においては、ロック部材６００をイジェクトバー３００とは別部品にて構成しているが、イジェクトバー３００の一部にロック部６３０と同等の機能を果たす部位を設けることとしても良い。
【図面の簡単な説明】
【００４９】
【図１】本発明の実施の形態によるコネクタを示す斜視図である。
【図２】図１のコネクタに対してカードを挿入する際の初期段階を示す斜視図である。
【図３】図１のコネクタのカバーを省略した状態を示す斜視図である。
【図４】図１のコネクタを示す分解斜視図である。
【図５】図１のコネクタに含まれるカバーを示す上面図である。
【図６】図１のコネクタに含まれるロック部材を示す斜視図である。
【図７】ホールド状態におけるロック部材のロック部とその近傍を示す拡大上面図である。
【図８】図１のコネクタに含まれるカバーの一部を示す上面図である。
【図９】イジェクト状態にあるコネクタを示す上面図である。ここで、カバーについては、その一部のみが示されている。
【図１０】図９のコネクタにおいて、ロック部とその近傍を示す拡大上面図である。
【図１１】ホールド状態にあるコネクタを示す上面図である。ここで、カバーについては、その一部のみが示されている。
【図１２】図１１のコネクタにおいて、ロック部とその近傍を示す拡大上面図である。
【図１３】ホールド状態にあるコネクタにおいてカードを無理に引き抜こうとした状態を示す上面図である。ここで、カバーについては、その一部のみが示されている。
【図１４】図１３のコネクタにおいて、ロック部とその近傍を示す拡大上面図である。
【図１５】図６に示されるロック部材の変形例を示す図である。
【符号の説明】
【００５０】
１００        コネクタ
１１０        コンタクト
１２０        ハウジング
１２２        側壁部
１３０        カバー
１３２        フォロワ付勢部
１４０        イジェクト機構
２００        キャビティ
２５０        開口部
３００        イジェクトバー
３２０        ハートカム
３４０        保持部
４００        コイルばね
５００        カムフォロワ
６００        ロック部材
６１０        被保持部
６２０        ばね部
６３０        ロック部
６４０        当接部
６４０ａ      当接部
６４５        Ｙ方向当接部（第２方向当接部）
６４５ａ      Ｙ方向当接部（第２方向当接部）
６５０        補助ばね部
７００        移動部
８００        受止部
８１０        Ｙ方向移動規制部（第２方向移動規制部）
８２０        Ｘ方向移動規制部（第１方向移動規制部）
８５０        反力増幅部
８７０        ロック部位置決め部
９００        カード
９１０        切欠き部
Ｃ            クリアランス
【図１】
2010129307.tif 000003
【図２】
2010129307.tif 000004
【図３】
2010129307.tif 000005
【図４】
2010129307.tif 000006
【図５】
2010129307.tif 000007
【図６】
2010129307.tif 000008
【図７】
2010129307.tif 000009
【図８】
2010129307.tif 000010
【図９】
2010129307.tif 000011
【図１０】
2010129307.tif 000012
【図１１】
2010129307.tif 000013
【図１２】
2010129307.tif 000014
【図１３】
2010129307.tif 000015
【図１４】
2010129307.tif 000016
【図１５】
2010129307.tif 000017